(57)【要約】      （修正有）【課題】手指挿入孔の上縁部が損傷し易いという不具合を好適に抑制し得る紙製の袋を提供する。【解決手段】紙製の袋Ｂであり、第一、第二の矩形シート１１、１２における各上部に、使用者の手指が挿入され得る第一、第二の手指挿入孔ｈ１、ｈ２が形成されたものである。帯状をなし第一の矩形シート１１における上辺ｅ１から延びてなる延出片３が設けられたものであり、延出片３が第一、第二の手指挿入孔ｈ１、ｈ２に挿入されて当該第一、第二の手指挿入孔ｈ１、ｈ２における上縁部ｊｅ１、ｊｅ２を補強し得るように構成されている。【選択図】図２
0003230059.tif 000002
【実用新案登録請求の範囲】
【請求項１】
対をなす第一、第二の矩形シート間に収納空間が形成されるとともに前記第一、第二の矩形シートの対応する上辺間に前記収納空間を外部に連通させる開口が形成される袋本体を有した紙製の袋であって、
前記第一、第二の矩形シートにおける各上部に、使用者の手指が挿入され得る第一、第二の手指挿入孔が形成されたものであり、
帯状をなし前記第一の矩形シートにおける上辺から延びてなる延出片が設けられたものであり、この延出片が前記第一、第二の手指挿入孔に挿入されて当該第一、第二の手指挿入孔における上縁部を補強し得るように構成されている紙製の袋。
【請求項２】
前記第二の矩形シートにおける上辺に折り線部分を介して設けられ、前記第一の矩形シートの外面側に重なり合う閉止姿勢を採り得るフラップを備えたものであり、
前記フラップに、使用者の手指が挿入され得る第三の手指挿入孔が形成されたものであり、当該第三の手指挿入孔が、前記閉止姿勢において前記第一、第二の手指挿入孔に略合致する位置に設けられている請求項１記載の紙製の袋。
【請求項３】
前記第一、第二、第三の手指挿入孔の各上縁部からそれぞれ連設され、当該第一、第二、第三の手指挿入孔の開口面積と略同じ面積をなす補強片を備えている請求項２記載の紙製の袋。
【考案の詳細な説明】
【技術分野】
【０００１】
本考案は、紙製の袋に関する。
【背景技術】
【０００２】
従来から、種々の物品を収納し得る紙製の袋が知られている（例えば、特許文献１を参照）。
【０００３】
紙製の袋には、使用者による持ち運びの便宜のため、使用者の手指が挿入される手指挿入孔が形成されたものが存在している。
【０００４】
ところが、手指挿入孔の上縁部には、持ち運びする際に使用者の手指が常に係わり合うものとなるため、損傷し易いという問題点がある。
【０００５】
特に、近時においては、買い物袋の携帯が求められており、繰り返しの使用が予定される紙製の袋においても、手指挿入孔の上縁部が損傷し難いものの登場が期待されている。
【先行技術文献】
【特許文献】
【０００６】
【特許文献１】実用新案登録第３１６７６６６号公報
【考案の概要】
【考案が解決しようとする課題】
【０００７】
本考案は、このような課題に着目してなされたものであって、手指挿入孔の上縁部が損傷し易いという不具合を好適に抑制し得る紙製の袋を提供することにある。
【課題を解決するための手段】
【０００８】
すなわち、本考案は、次の構成をなしている。
【０００９】
請求項１に記載の考案は、対をなす第一、第二の矩形シート間に収納空間が形成されるとともに前記第一、第二の矩形シートの対応する上辺間に前記収納空間を外部に連通させる開口が形成される袋本体を有した紙製の袋であって、前記第一、第二の矩形シートにおける各上部に、使用者の手指が挿入され得る第一、第二の手指挿入孔が形成されたものであり、帯状をなし前記第一の矩形シートにおける上辺から延びてなる延出片が設けられたものであり、この延出片が前記第一、第二の手指挿入孔に挿入されて当該第一、第二の手指挿入孔における上縁部を補強し得るように構成されている紙製の袋である。
【００１０】
請求項２に記載の考案は、前記第二の矩形シートにおける上辺に折り線部分を介して設けられ、前記第一の矩形シートの外面側に重なり合う閉止姿勢を採り得るフラップを備えたものであり、前記フラップに、使用者の手指が挿入され得る第三の手指挿入孔が形成されたものであり、当該第三の手指挿入孔が、前記閉止姿勢において前記第一、第二の手指挿入孔に略合致する位置に設けられている請求項１記載の紙製の袋である。
【００１１】
請求項３に記載の考案は、前記第一、第二、第三の手指挿入孔の各上縁部からそれぞれ連設され、当該第一、第二、第三の手指挿入孔の開口面積と略同じ面積をなす補強片を備えている請求項２記載の紙製の袋である。
【考案の効果】
【００１２】
以上説明したように本考案によれば、手指挿入孔の上縁部が損傷し易いという不具合を好適に抑制し得る紙製の袋を提供することができるものとなる。
【図面の簡単な説明】
【００１３】
【図１】本考案の一実施形態を示す正面図。
【図２】図１におけるＸ−Ｘ線概略断面図。
【図３】同実施形態における展開図。
【図４】同実施形態における使用過程の一例を説明するための断面図。
【図５】同実施形態における使用過程の一例を説明するための断面図。
【図６】同実施形態における使用過程の一例を説明するための断面図。
【図７】同実施形態における使用過程の一例を説明するための断面図。
【図８】同実施形態における使用過程の一例を説明するための断面図。
【考案を実施するための形態】
【００１４】
以下、本考案の一実施形態を、図１〜８を参照して説明する。なお、図２、及び、図４〜８は何れも紙製の袋Ｂにおける部分的な断面図であるが、説明のしやすさのために実際のものよりも厚みや隙間を誇張して表示している。
【００１５】
紙製の袋Ｂは、対をなす第一、第二の矩形シート１１、１２間に収納空間ｓｐが形成されるとともに第一、第二の矩形シート１１、１２の対応する上辺ｅ１、ｅ２間に収納空間ｓｐを外部に連通させる開口Ｋが形成される袋本体１と、第二の矩形シート１１における上辺ｅ２に折り線部分ｆを介して設けられ、当該折り線部分ｆで折り曲げられることにより第一の矩形シート１１の外面側に重なり合う閉止姿勢（Ｃ）を採り得るフラップ２を備えたものである。
【００１６】
袋本体１を構成する第一、第二の矩形シート１１、１２における各上部には、使用者の手指が挿入され得る第一、第二の手指挿入孔ｈ１、ｈ２が形成されている。
【００１７】
そして、紙製の袋Ｂには、帯状をなし第一の矩形シート１１における上辺ｅ１から延びてなる延出片３が設けられている。延出片３は、先端部３ｓ側が第一、第二の手指挿入孔ｈ１、ｈ２に挿入されて当該第一、第二の手指挿入孔ｈ１、ｈ２における上縁部ｊｅ１、ｊｅ２を補強し得るように構成されている。
【００１８】
以下、紙製の袋Ｂについて詳述する。
【００１９】
紙製の袋Ｂは、単一の紙製シートＳＨ（図３を参照）における所定の部位を折り曲げるとともに所定の部位同士を接着することによって形成されたものである。
【００２０】
袋本体１は、上部に左右方向に長手をなす第一の手指挿入孔ｈ１が形成された第一の矩形シート１１と、上部に左右方向に長手をなす第二の手指挿入孔ｈ２が形成された第二の矩形シート１２とを主体に構成されたものである。
【００２１】
なお、第一の矩形シート１１と第二の矩形シート１２は、略同一形状をなしている。
【００２２】
第一の矩形シート１１は、縦長矩形状をなしている。第一の矩形シート１１は、第一の手指挿入孔ｈ１の上縁部ｊｅ１から、当該第一の手指挿入孔ｈ１の開口面積と略同じ面積をなす第一の補強片ｓ１が連設されている。
【００２３】
第一の補強片ｓ１は、第一の手指挿入孔ｈ１を穿設するにあたり、第一の手指挿入孔ｈ１の上縁部ｊｅ１を除いた部位（側縁部及び下縁部）を切断することにより得られたものであり、切り起こし可能な片状の部位となっている。
【００２４】
第二の矩形シート１２は、縦長矩形状をなしている。第二の矩形シート１２は、第二の手指挿入孔ｈ２の上縁部ｊｅ２から、当該第二の手指挿入孔ｈ２の開口面積と略同じ面積をなす第二の補強片ｓ２が連設されている。
【００２５】
第二の補強片ｓ２は、第二の手指挿入孔ｈ２を穿設するにあたり、第二の手指挿入孔ｈ２の上縁部ｊｅ２を除いた部位（側縁部及び下縁部）を切断することにより得られたものであり、切り起こし可能な片状の部位となっている。
【００２６】
第一、第二の矩形シート１１、１２における左右の側端縁部間及び下端部間は左右のマチ１３、１４、及び、下のマチ１５を介して連結されている。
【００２７】
第一の矩形シート１１における左側端縁と第二の矩形シート１２における左側端縁との間は、左のマチ１３を介して連結されている。
【００２８】
第一の矩形シート１１における右側端縁と第二の矩形シート１２における右側端縁との間は、右のマチ１４を介して連結されている。
【００２９】
第一の矩形シート１１における下端縁と第二の矩形シート１２における下端縁との間は、下のマチ１５を介して連結されている。
【００３０】
フラップ２は、袋本体１における第二の矩形シート１２の上辺ｅ２から延出し袋本体１の収納空間ｓｐに収納された物品が外部に飛び出ることを抑制するいわゆる蓋としての役割を果たすものである。
【００３１】
フラップ２は、第二の矩形シート１２における上辺ｅ２に折り線部分ｆを介して連設されている。フラップ２は、第二の矩形シート１２と同じ方向に延びた開放姿勢（Ａ）と、折り線部分ｆで第二の矩形シート１２に対して１８０°回転するように折り曲げられ第一の矩形シート１１の外面側に重なり合う閉止姿勢（Ｃ）を採り得るようになっている。
【００３２】
フラップ２には、使用者の手指が挿入され得る第三の手指挿入孔ｈ３が形成されている。フラップ２に設けられた第三の手指挿入孔ｈ３は、閉止姿勢（Ｃ）において第一、第二の手指挿入孔ｈ１、ｈ２に略合致する位置に設けられている。
【００３３】
なお、フラップ２は、第三の手指挿入孔ｈ３の上縁部ｊｅ３（閉止姿勢（Ｃ）における上側の縁部を指す）から、当該第三の手指挿入孔ｈ３の開口面積と略同じ面積をなす第三の補強片ｓ３が連設されている。第三の補強片ｓ３は、第三の手指挿入孔ｈ３を穿設するにあたり、第三の手指挿入孔ｈ３の上縁部ｊｅ３を除いた部位（側縁部及び下縁部）を切断することにより得られたものであり、切り起こし可能な片状の部位となっている。
【００３４】
延出片３は、基端部３ｋが第一の矩形シート１１における上辺ｅ１に接続し先端部３ｓが第一、第二の手指挿入孔ｈ１、ｈ２に挿入され得る長さを有した矩形帯状のものである。
【００３５】
延出片３は、第一の矩形シート１１の上辺ｅ１と合致する位置である基端部３ｋにおいて折り曲げられ、先端部３ｓが第一の矩形シート１１の外面側から第一の手指挿入孔ｈ１、第二の手指挿入孔ｈ２の順に挿入されるようになっている。そして、延出片３は、当該第一、第二の手指挿入孔ｈ１、ｈ２における上縁部ｊｅ１、ｊｅ２をカバーすることにより使用者の手指が直接的に触れないように補強し得るものとなっている。
【００３６】
続いて、図４〜８を参照しつつ、この実施形態における延出片３、及び、第一、第二、第三の補強片ｓ１、ｓ２、ｓ３の一使用態様について説明する。
【００３７】
図４では、紙製の袋Ｂの初期姿勢を模式的に示している。すなわち、図４においては、第一の矩形シート１１の上辺ｅ１からは、延出片３が上方向に延びている。また、第二の矩形シート１２の上辺ｅ２からは、フラップ２が上方向に延びており、開放姿勢（Ａ）を採っている。
【００３８】
まず、図５に示すように、第一の手指挿入孔ｈ１の内部に位置していた第一の補強片ｓ１を立ち上げ、当該第一の補強片ｓ１を第一の矩形シート１１の内面側に添接させるようにする。また、第二の手指挿入孔ｈ２の内部に位置していた第二の補強片ｓ２を立ち上げ、当該第二の補強片ｓ２を第二の矩形シート１２の内面側に添接させるようにする。これにより、まず、第一、第二の手指挿入孔ｈ１、ｈ２の上縁部ｊｅ１、ｊｅ２は、第一、第二の補強片ｓ１、ｓ２の基端部によってシートが実質的に二重化されることになり、強度が向上することになる。
【００３９】
次に、図６に示すように、第一の矩形シート１１の上辺ｅ１から上方に向かって延びていた延出片３を基端部３ｋから第一の矩形シート１１の外面側に折り曲げて、延出片３の先端部３ｓ側を第一の手指挿入孔ｈ１、第二の手指挿入孔ｈ２の順に挿入する。そして、延出片３の先端部３ｓを、第二の矩形シート１２の外面側（第二の手指挿入孔ｈ２よりも上側の外面側）に添接させるようにする。これにより、第一、第二の手指挿入孔ｈ１、ｈ２の上縁部ｊｅ１、ｊｅ２は延出片３により更に覆われて補強されることになる。
【００４０】
続いて、図７に示すように、第二の矩形シート１２の上辺ｅ２から上方に向かって延びていた開放姿勢（Ａ）のフラップ２を折り線部分ｆで折り曲げて、閉止姿勢（Ｃ）に姿勢変更し、先端部２ｓ側を第一の矩形シート１１の外面側に添接させるようにする。
【００４１】
しかる後に、図８に示すように、フラップ２における第三の手指挿入孔ｈ３の内部に位置していた第三の補強片ｓ３を立ち上げ、当該第三の補強片ｓ３を第一、第二の手指挿入孔ｈ１、ｈ２に挿入するとともに延出片３に添接させる。これにより、第一、第二の手指挿入孔ｈ１、ｈ２の上縁部ｊｅ１、ｊｅ２は第三の補強片３ｓによって更に覆われることになる。
【００４２】
以上の過程を経て、第一、第二の手指挿入孔ｈ１、ｈ２における上縁部ｊｅ１、ｊｅ２は、第一、第二、第三の補強片ｓ１、ｓ２、ｓ３及び延出片３によって多重化され、繰り返しの使用すなわち複数回の使用に耐え得る剛性が確保されたものとなっている。
【００４３】
以上に述べた通り、本実施形態に係る紙製の袋Ｂは、対をなす第一、第二の矩形シート１１、１２間に収納空間ｓｐが形成されるとともに第一、第二の矩形シート１１、１２の対応する上辺ｅ１、ｅ２間に収納空間ｓｐを外部に連通させる開口Ｋが形成される袋本体１を有したものである。そして、第一、第二の矩形シート１１、１２における各上部に、使用者の手指が挿入され得る第一、第二の手指挿入孔ｈ１、ｈ２が形成されたものである。
【００４４】
紙製の袋Ｂは、帯状をなし第一の矩形シート１１における上辺ｅ１から延びてなる延出片３が設けられたものであり、延出片３が第一、第二の手指挿入孔ｈ１、ｈ２に挿入されて当該第一、第二の手指挿入孔ｈ１、ｈ２における上縁部ｊｅ１、ｊｅ２を補強し得るように構成されている。
【００４５】
このため、本実施形態に係る紙製の袋Ｂであれば、第一、第二の手指挿入孔ｈ１、ｈ２の上縁部ｊｅ１、ｊｅ２が損傷し易いという不具合を延出片３によって好適に抑制することができるものとなる。
【００４６】
第二の矩形シート１２における上辺ｅ２に折り線部分ｆを介して設けられ、当該折り線部分ｆで折り曲げられることにより第一の矩形シート１１の外面側に重なり合う閉止姿勢（Ｃ）を採り得るフラップ２を備えたものである。
【００４７】
そして、フラップ２に、使用者の手指が挿入され得る第三の手指挿入孔ｈ３が形成されたものであり、当該第三の手指挿入孔ｈ３が、閉止姿勢（Ｃ）において第一、第二の手指挿入孔ｈ１、ｈ２に略合致する位置に設けられている。
【００４８】
このため、収納空間ｓｐに収納された物品が外部に飛び出し難いものとなっている。
【００４９】
第一、第二、第三の手指挿入孔ｈ１、ｈ２、ｈ３の各上縁部ｊｅ１、ｊｅ２、ｊｅ３からそれぞれ連設され、当該第一、第二、第三の手指挿入孔ｈ１、ｈ２、ｈ３の開口面積と略同じ面積をなす補強片たる第一、第二、第三の補強片ｓ１、ｓ２、ｓ３を備えている。このため、第一、第二、第三の手指挿入孔ｈ１、ｈ２、ｈ３の上縁部ｊｅ１、ｊｅ２、ｊｅ３が各補強片ｓ１、ｓ２、ｓ３の基端部によって実質的に二重化されるものとなり、第一、第二、第三の手指挿入孔ｈ１、ｈ２、ｈ３の上縁部ｊｅ１、ｊｅ２、ｊｅ３の剛性が向上するものとなる。
【００５０】
なお、本考案は、以上に詳述した実施形態に限られるものではない。
【００５１】
紙製の袋の基材である紙製シートは、種々のものを適用することができ、厚み寸法等は適宜設定されるものである。紙製シートは、ＰＰ加工やニス加工等、種々の表面加工を施したものであってもよい。
【００５２】
紙製の袋は、袋本体を主体に構成されたものであればよく、フラップが設けられたものでなくてもよい。
【００５３】
第一、第二の矩形シートの側端縁間及び下端縁間には、マチが設けられていなくてもよい。
【００５４】
第一、第二、第三の手指挿入孔の大きさや、第一、第二、第三の補強片の大きさは、種々の大きさに設定し得るものである。
【００５５】
その他、各部の具体的構成についても上記実施形態に限られるものではなく、本考案の趣旨を逸脱しない範囲で種々変形が可能である。
【符号の説明】
【００５６】
Ｂ…紙製の袋
１…袋本体
２…フラップ
３…延出片
１１…第一の矩形シート
１２…第二の矩形シート
ｈ１…第一の手指挿入孔
ｈ２…第二の手指挿入孔
ｊｅ１、ｊｅ２…上縁部
【図１】
0003230059.tif 000003
【図２】
0003230059.tif 000004
【図３】
0003230059.tif 000005
【図４】
0003230059.tif 000006
【図５】
0003230059.tif 000007
【図６】
0003230059.tif 000008
【図７】
0003230059.tif 000009
【図８】
0003230059.tif 000010